(57)【要約】【課題】  敷き布団カバーの位置ずれも起きにくく、しかも手軽に敷き布団カバーの交換を行うことができ、また長さの異なる敷き布団に対しても装着することが可能で、洗濯の乾きも早い敷き布団カバーを提供することにある。【解決手段】  敷き布団２の上面側２ａに装着される敷き布団カバー１において、敷き布団２の幅と略同一幅を有し且つ敷き布団２の任意長さに対してこれよりも十分な長さを有する長方形のカバー本体１１の長さ方向の一端の両幅端に前部ひも１２の基端側をそれぞれ逢着して取り付け、カバー本体１１の長さ方向の一端側を敷き布団２の一端の下面側２ｂに折り曲げ差込み時に上記両幅端の前部ひも１２の取り付け位置の略真上側位置のカバー本体１１の両幅端に、上記前部ひも１２と結ばれる後部ひも１３の基端側をそれぞれ逢着して取り付け、カバー本体１１の長さ方向の他端側を敷き布団の任意長さより長くして敷き布団の他端の下面側に折り曲げ差込み自在にした。【選択図】        図２
0003115349.tif 000002
【実用新案登録請求の範囲】
【請求項１】
敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端の両幅端に前部ひもの基端側をそれぞれ逢着して取り付け、カバー本体の長さ方向の一端側を敷き布団の一端の下面側に折り曲げ差込み時に上記両幅端の前部ひもの取り付け位置の略真上側位置のカバー本体の両幅端に、上記前部ひもと結ばれる後部ひもの基端側をそれぞれ逢着して取り付け、カバー本体の長さ方向の他端側を敷き布団の任意長さより長くして敷き布団の他端の下面側に折り曲げ差込み自在にしたことを特徴とする敷き布団カバー。
【請求項２】
敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端の両幅端に前部ひもの基端側をそれぞれ逢着して取り付け、カバー本体の長さ方向の一端側を敷き布団の下に敷かれたマットレスの一端の下面側に折り曲げ差込み時に上記両幅端の前部ひもの取り付け位置の略真上側位置のカバー本体の両幅端に、上記前部ひもと結ばれる後部ひもの基端側をそれぞれ逢着して取り付け、カバー本体の長さ方向の他端側を敷き布団の任意長さより長くして敷き布団の下に敷かれたマットレスの他端の下面側に折り曲げ差込み自在にしたことを特徴とする敷き布団カバー。
【請求項３】
カバー本体の両幅側に装飾片をその幅方向に沿ってそれぞれ形成した請求項１又は請求項２記載の敷き布団カバー。
【考案の詳細な説明】
【技術分野】
【０００１】
この考案は、敷き布団の表面が汚れないようその上面側に装着される敷き布団カバーに関するものである。
【背景技術】
【０００２】
敷き布団の表面が睡眠者の汗などで汚れないように、敷き布団の上面には敷き布団カバーが装着される。敷き布団カバーの代表的なものとしてはシーツが知られている。シーツは、その長手方向の両端側を折り曲げて敷き布団と畳みなどの床面との間に挟み込んで敷き布団の表面に装着されるため、睡眠者の寝返りなどでシーツが敷き布団から簡単に位置ずれしたり一部外れたりする不都合がある。
このため、このような不都合を解消するものとして、敷き布団全体を袋状の内側に収納する袋状敷き布団カバー、両端側に敷き布団の両端側を入れる一部袋状のものが形成された両端一部袋状敷き布団カバー、四隅に敷き布団に引っ掛けて止めるようにした係止バンドが形成された四隅係止型敷き布団カバーなどが知られている。
【特許文献１】特開２００１−９５６６３
【特許文献２】実用新案登録第３０２７２４１号
【考案の開示】
【考案が解決しようとする課題】
【０００３】
しかしながら、前記の袋状敷き布団カバーは、敷き布団全体を袋状の内側に収納するため、洗濯などのために敷き布団カバーを交換する場合、敷き布団全体を袋状の内側から取り出し、その取り出した敷き布団全体を新しい袋状敷き布団カバーの袋状の内側に入れなければならずに、体力と手間がかかり非常に面倒である。
また、前記の両端一部袋状敷き布団カバーは、上記の袋状敷き布団カバーように敷き布団全体を袋状の内側に収納しないので体力と手間がかからないが、敷き布団の長さに対して敷き布団カバーが短かったり逆に長すぎる場合には使用できないという不都合がある。
さらに、前記の四隅係止型敷き布団カバーは、上記の袋状敷き布団カバーように敷き布団全体を袋状の内側に収納しないので体力と手間がかからないが、敷き布団の長さに対して敷き布団カバーが短かったり逆に長すぎる場合には使用できず、又四隅を係止バンドなどで敷き布団の四隅に引っ掛けて係止させるために位置ずれや外れやすいなどの不都合がある。
【０００４】
この考案は、上記のような課題に鑑み、その課題を解決すべく創案されたものであって、その目的とするところは、敷き布団カバーの位置ずれも起きにくく、しかも手軽に敷き布団カバーの交換を行うことができ、また長さの異なる敷き布団に対しても装着することが可能で、洗濯の乾きも早い敷き布団カバーを提供することにある。
【課題を解決するための手段】
【０００５】
以上の目的を達成するために、請求項１の考案は、敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端の両幅端に前部ひもの基端側をそれぞれ逢着して取り付け、カバー本体の長さ方向の一端側を敷き布団の一端の下面側に折り曲げ差込み時に上記両幅端の前部ひもの取り付け位置の略真上側位置のカバー本体の両幅端に、上記前部ひもと結ばれる後部ひもの基端側をそれぞれ逢着して取り付け、カバー本体の長さ方向の他端側を敷き布団の任意長さより長くして敷き布団の他端の下面側に折り曲げ差込み自在にしたことを特徴とする。
【０００６】
また、請求項２の考案は、敷き布団の上面側に装着される敷き布団カバーにおいて、敷き布団の幅と略同一幅を有し且つ敷き布団の任意長さに対してこれよりも十分な長さを有する長方形のカバー本体の長さ方向の一端の両幅端に前部ひもの基端側をそれぞれ逢着して取り付け、カバー本体の長さ方向の一端側を敷き布団の下に敷かれたマットレスの一端の下面側に折り曲げ差込み時に上記両幅端の前部ひもの取り付け位置の略真上側位置のカバー本体の両幅端に、上記前部ひもと結ばれる後部ひもの基端側をそれぞれ逢着して取り付け、カバー本体の長さ方向の他端側を敷き布団の任意長さより長くして敷き布団の下に敷かれたマットレスの他端の下面側に折り曲げ差込み自在にしたことを特徴とする。
【０００７】
また、請求項１又は請求項２において、好ましい態様として、カバー本体の両幅側に装飾片をその幅方向に沿ってそれぞれ形成した。
【考案の効果】
【０００８】
以上の記載より明らかなように、請求項１、請求項２の考案に係る敷き布団カバーによれば、カバー本体の長さ方向の一端の両幅端に前部ひもの基端側をそれぞれ逢着して取り付け、カバー本体の長さ方向の一端側を敷き布団の一端又はその下に敷かれたマットレスの一端の下面側に折り曲げ差込み時に上記両幅端の前部ひもの取り付け位置の略真上側位置のカバー本体の両幅端に、上記前部ひもと結ばれる後部ひもの基端側をそれぞれ逢着して取り付けたので、敷き布団の厚さや敷き布団及びマットレスの厚さに影響されることなく前部ひもと後部ひもを結ぶことによって、敷き布団カバーの位置ずれも起きにくく、しかも敷き布団カバーの敷き布団への取り付け作業にも体力や手間を余りかけることなく行うことができ、手軽に敷き布団カバーの交換を行うことができる。また、敷き布団カバーの他端側は十分に長く敷き布団の長さに合わせて折り曲げて敷き布団又はその下に敷かれたマットレスの下面側に差し込むことで、長さの異なる敷き布団に対しても装着することが可能となり、昨今のように、若い人と老人とで身長差があり、敷き布団の長さが異なる場合でも容易に双方に対応して使用することができる。さらに、カバー本体の両幅端にひもが取り付けられているに過ぎないので洗濯した場合にその乾きも早い。
【０００９】
また、請求項３の考案に係る敷き布団カバーによれば、特に女性や子供は例えばレース状の装飾片が敷き布団カバーの両幅側に形成されているだけで使用するときに楽しさが生じ、又幸福感が生じるものである。
【考案を実施するための最良の形態】
【００１０】
以下、図面に記載の考案を実施するための最良の形態に基づいて、この考案をより具体的に説明する。
ここで、図１は敷き布団カバーの斜視図、図２（Ａ）は敷き布団カバーを長さが短い敷き布団に装着したときの中間部分一部省略の側面図、図２（Ｂ）は敷き布団カバーを長さが長い敷き布団に装着したときの中間部分一部省略の側面図、図３（Ａ）は敷き布団カバーを長さが短い敷き布団及びマットレスに装着したときの中間部分一部省略の側面図、図３（Ｂ）は敷き布団カバーを長さが長い敷き布団及びマットレスに装着したときの中間部分一部省略の側面図、図４（Ａ）は装飾片付きの敷き布団カバーの斜視図、図４（Ｂ）は装飾片付きの敷き布団カバーの装飾片が逢着された幅側の断面図である。
【００１１】
図において、敷き布団カバー１は、敷き布団２の上面側２ａに装着されるカバーで、十分な長さを有する長方形のカバー本体１１と、カバー本体１１の長さ方向の一端側の左右の両幅端にそれぞれ取り付けられた前部ひも１２及び後部ひも１３と、敷き布団２に装着時に敷き布団２の下面側に折り曲げて差し込まれるカバー本体１１の他端側の折り曲げ差し込み片１４とから構成される。
【００１２】
カバー本体１１は、敷き布団２の幅と略同一幅を有しており、且つ敷き布団２の任意長さに対してこれよりも十分に長い長さを有する長方形の生地から構成される。カバー本体１１には例えば白地の洗濯に強い生地が使用される。また、その取扱いが楽になるように軽量な生地が使用される。なお、白地以外の色地のものでもよい。
【００１３】
カバー本体１１が長さ方向に十分に長いのは、その長さ方向の一端側の生地を敷き布団２の一端側の下面側２ｂに折り曲げて差し込んで、下側となる前部ひも１２と上側となる後部ひも１３を結び、長さ方向の他端側は大小の長さの敷き布団２のいずれに対しても折り曲げて敷き布団２の他端側の下面側２ｂに折り曲げて差し込めるようにするためである。
【００１４】
カバー本体１１の長さ方向の一端側の左右の両幅端にそれぞれ取り付けられた前部ひも１２及び後部ひも１３は、その長さ方向の一端側の生地を敷き布団２の一端側の下面側２ｂに折り曲げて差し込んで、或いは敷き布団２の下にマットレス３が敷かれているときにはマットレス３の一端側の下面側３ｂに折り曲げて差し込んで、下側となる前部ひも１２と上側となる後部ひも１３を結ぶことで、敷き布団カバー１が位置ずれしないようにするためのものである。
【００１５】
前部ひも１２は、カバー本体１１の長さ方向の一端の左右の両幅端にそれぞれ取り付けられている。左右の各前部ひも１２は細長なひも状のものからなる。各前部ひも１２は、その基端側がカバー本体１１の長さ方向の一端の左右の両幅端に、対応する各後部ひも１３と強く結んでも逢着部分がほころびて外れることないように、確りと逢着されている。
【００１６】
後部ひも１３は、前部ひも１２と上下の位置関係で、敷き布団２の厚みに対応して、或いは敷き布団２の下にマットレス３が敷かれているときには敷き布団２及びマットレス３の厚みに対応して、前部ひも１２と確りと結ぶものである。各後部ひも１３は、カバー本体１１の長さ方向の一端側の左右の両幅端にそれぞれ取り付けられている。左右の各後部ひも１３は前部ひも１２と同一の材質の細長なひも状のものからなる。
【００１７】
各後部ひも１３は、カバー本体１１の長さ方向の一端側を、敷き布団２の一端の下面側２ｂに折り曲げ差込み時に、或いは敷き布団２の下にマットレス３が敷かれているときにはそのマットレス３の一端の下面側３ｂに折り曲げ差込み時に、上記両幅端の前部ひも１２の取り付け位置の略真上側位置のカバー本体１１の両幅端に、対応する各前部ひも１２と強く結んでも逢着部分がほころびて外れることないように、確りと逢着されている。
【００１８】
一端側の左右の両幅端に前部ひも１２及び後部ひも１３がそれぞれ取り付けられた敷き布団カバー１の他端側は、大小の敷き布団２より長くなっていて、この敷き布団カバー１を敷き布団２に装着した場合、敷き布団２の他端側からその下面側２ｂに折り曲げて差し込めるのに十分な長さの折り曲げ差し込み片１４になっている。これにより、敷き布団２の長さの大小に関係なく、敷き布団カバー１を使用することができる。
【００１９】
また、敷き布団カバー１のカバー本体１１の両幅側には、必要に応じて例えばレース状の装飾片１５が形成される。例えばレース状の装飾片１５はカバー本体１１の幅方向に沿って形成されている。例えばレース状の装飾片１５はその幅側の上下先端側がカバー本体１１の両幅側を上下から挟んで逢着される。
【００２０】
この装飾片１５が両幅側に形成された敷き布団カバー１は、特に女性、子供などが使用するものに採用される。女性や子供はこのような装飾片１５が敷き布団カバー１に形成されているだけで使用するときに楽しさが生じ、又幸福感が生じるものである。
【００２１】
次に、上記考案を実施するための最良の形態の構成に基づく使用について以下説明する。
敷き布団カバー１の敷き布団２の上面側２ａへの装着は、先ず敷き布団カバー１の前部ひも１２及び後部ひも１３が取り付けられた一端側を敷き布団２の一端で下向きに折り曲げて、敷き布団２の一端側の下面側２ｂと畳みなどの床面との間に差し込み、或いは敷き布団２の下にマットレス３が敷かれているときにはマットレス３の一端側の下面側３ｂと畳みなどの床面との間に差し込む。
【００２２】
この場合、下側となる前部ひも１２の取り付け位置の略真上位置に後部ひも１３の取り付け位置にくるように、敷き布団カバー１を敷き布団２の上に敷き、それぞれの幅端側に取り付けられた上下位置の関係にある後部ひも１３と前部ひも１２とを上下で確りと結ぶ。これにより、敷き布団カバー１は敷き布団２から簡単に外れたりすることがなく、又少なくとも敷き布団カバー１の一端側は敷き布団２と位置ずれを起こすこともない。
【００２３】
このようにして、敷き布団カバー１の前部ひも１２と後部ひも１３とにより、敷き布団２の一端側を上下から挟んで結んだ後、或いは敷き布団２の下にマットレス３が敷かれているときには敷き布団２とマットレス３の一端側を上下から挟んで結んだ後、反対側となる敷き布団カバー１の他端側の折り曲げ差し込み片１４側を両手で掴んで引っ張り、敷き布団カバー１のしわを伸ばす。
【００２４】
敷き布団カバー１の他端側は敷き布団２に比べて十分に長いので、長さが大小の敷き布団２に対して同一の敷き布団カバー１を使用することができ、敷き布団２の長さの大小に応じて敷き布団カバー１を代える煩わしさから開放されることになる。
【００２５】
敷き布団カバー１を引っ張ってしわを伸ばした後、敷き布団カバー１の他端側の折り曲げ差し込み片１４側を敷き布団２の他端で下向きに折り曲げて、敷き布団２の他端側の下面側２ｂと畳みなどの床面との間に差し込むことで、或いは敷き布団２の下にマットレス３が敷かれているときにはマットレス３の他端側の下面側３ｂと畳みなどの床面との間に差し込むことで、敷き布団カバー１の敷き布団２の上面側２ａへの装着作業は終了する。
【００２６】
なお、この考案は上記考案を実施するための最良の形態に限定されるものではなく、この考案の精神を逸脱しない範囲で種々の改変をなし得ることは勿論である。
【図面の簡単な説明】
【００２７】
【図１】この考案を実施するための最良の形態を示す敷き布団カバーの斜視図である。
【図２】（Ａ）はこの考案を実施するための最良の形態を示す敷き布団カバーを長さが短い敷き布団に装着したときの中間部分一部省略の側面図である。  （Ｂ）はこの考案を実施するための最良の形態を示す敷き布団カバーを長さが長い敷き布団に装着したときの中間部分一部省略の側面図である。
【図３】（Ａ）はこの考案を実施するための最良の形態を示す敷き布団カバーを長さが短い敷き布団及びマットレスに装着したときの中間部分一部省略の側面図である。  （Ｂ）はこの考案を実施するための最良の形態を示す敷き布団カバーを長さが長い敷き布団及びマットレスに装着したときの中間部分一部省略の側面図である。
【図４】（Ａ）はこの考案を実施するための最良の形態を示す装飾片付きの敷き布団カバーの斜視図である。  （Ｂ）はこの考案を実施するための最良の形態を示す装飾片付きの敷き布団カバーの装飾片が逢着された幅側の断面図である。
【符号の説明】
【００２８】
１    敷き布団カバー
１１    カバー本体
１２    前部ひも
１３    後部ひも
１４    折り曲げ差し込み片
１５    装飾片
２    敷き布団
２ａ  上面側
２ｂ  下面側
３    マットレス
３ｂ    下面側
【図１】
0003115349.tif 000003
【図２】
0003115349.tif 000004
【図３】
0003115349.tif 000005
【図４】
0003115349.tif 000006